(57)【特許請求の範囲】
【請求項１】
少なくとも、表示部と、被測定者の第１生体情報を測定する第１生体情報測定部と、前記被測定者の第２生体情報を算出する演算部と、前記被測定者の第３生体情報を入力する入力部と、を有し、
前記表示部は、第３生体情報が入力されていない場合には、前記第１生体情報をパラメータとして算出された第２生体情報を、仮定された第３生体情報と対応させて表示する第１測定結果表示を行い、
第３生体情報が入力された場合には、前記第１生体情報と、入力された第３生体情報とをパラメータとして算出することによって、前記第１測定結果表示で表示された前記第２生体情報よりも特定された第２生体情報を表示する第２測定結果表示を行うこと
を特徴とする生体測定装置。
【請求項２】
前記第２測定結果表示は、複数の前記第３生体情報が順次入力されるに従って、入力された前記第３生体情報に応じて特定された前記第２生体情報が表示されるものであることを特徴とする請求項１に記載の生体測定装置。
【請求項３】
前記第１測定結果表示は、前記第１生体情報をパラメータとして算出された前記第２生体情報を第１軸とし、第３生体情報を第２軸としたグラフ表示であることを特徴とする請求項１又は請求項２に記載の生体測定装置。
【請求項４】
前記第１測定結果表示は、前記第２生体情報が前記第３生体情報と関連付けられた表であることを特徴とする請求項１又は請求項２に記載の生体測定装置。
【請求項５】
前記第１生体情報は、少なくとも体重及び生体インピーダンスを含むことを特徴とする請求項１乃至請求項４のうち、いずれか１に記載の生体測定装置。
【請求項６】
前記第２生体情報は、脂肪率、内臓脂肪レベル、体水分量、筋肉量、基礎代謝量、骨量、除脂肪量、体細胞量、血圧、内蔵脂肪面積、ＢＭＩ、肥満度、細胞内液量、及び／又は細胞外液量を含むことを特徴とする請求項１乃至請求項５のうち、いずれか１に記載の生体測定装置。
【請求項７】
前記第３生体情報は、身長、性別、又は年齢を含むことを特徴とする請求項１乃至請求項６のうち、いずれか１に記載の生体測定装置。
【発明の詳細な説明】
【技術分野】
【０００１】
本発明は、被測定者の生体情報を測定するための生体測定装置に関する。
【背景技術】
【０００２】
近年の健康志向の高まりに伴い、被測定者の体重のみを測定する体重計のように単一の生体情報を測定するだけの生体測定装置にとどまらず、例えば、被測定者の身長、性別、年齢、生体インピーダンスなどの生体情報をパラメータとして用いることにより、脂肪率、内臓脂肪レベル、体水分量、筋肉量、基礎代謝量、骨量、除脂肪量、体細胞量、血圧、内蔵脂肪面積、ＢＭＩ、肥満度、細胞内液量、細胞外液量などの様々な複数の生体情報を推定値として算出・測定することが可能な、体重計付き体脂肪計、体組成計といった生体測定装置が種々提案されている（例えば特許文献１参照）。
【０００３】
このような複数の生体情報を測定可能な生体測定装置は、特定の人間による利用がなされるとは必ずしも限られず、例えば、スポーツジム等の公共の施設において設置されている場合には不特定多数の人間の利用に供されるものであるし、また、家庭内で用いる場合にも複数人の利用に供される場合が多い。
【０００４】
このような生体測定装置を利用する者の中には、測定可能な複数の生体情報のうち、例えば体重及びおおよその脂肪率のみを知ることができればよく、その他の生体情報は見なくてもよいと考える者や、又は、継続的に所定の生体情報を取得することによる健康管理を行う必要があるために、体重、脂肪率、骨量その他の生体情報の正確な数値を知りたいと考える者など、生体測定装置の利用目的が異なる者が混在していることが多い。
【０００５】
【特許文献１】特開２００６−２３９２３７
【発明の開示】
【発明が解決しようとする課題】
【０００６】
しかしながら、従来の生体測定装置による脂肪率等の生体情報の測定・表示は、被測定者毎に正確な脂肪率を具体的に算出してその数値を表示するものとなっており、そのためには、例えば身長、性別、年齢といった所定の生体情報の入力が必須とされるものであった。従って、例えおおよその脂肪率のみを知ることができればよいと考えている者であっても、正確な脂肪率の数値までを知る必要はないと考えているにもかかわらず、正確な脂肪率の算出のための生体情報の入力作業を強いられるものとなっており、このような者にとっては、その入力作業が煩雑に感じてしまい、使い勝手の悪いものであった。
【０００７】
また、特に公共の施設に生体測定装置が設置される場合には、使い慣れていない生体測定装置である場合も多いため、複数の生体情報を総て正確な数値で知ることよりも、おおよその数値による生体情報でよいかわりに、それらの生体情報を簡単な操作によって測定できる方が、利用者のニーズとして求められることも考えられる。その一方で、正確な数値によって種々の生体情報を知りたいという利用者のニーズにも対応することが必要とされる。
【０００８】
本発明は上述の事情に鑑みてなされたものであり、被測定者の利用目的に対応させるために、まずは被測定者の生体情報の測定結果を所定の範囲をもって表示させるとともに、被測定者の任意の操作に応じて更に特定された測定結果を表示させることが可能な生体測定装置を提供することにある。
【課題を解決するための手段】
【０００９】
上記課題を解決するために、本発明の生体測定装置は、少なくとも、表示部と、被測定者の第１生体情報を測定する第１生体情報測定部と、前記被測定者の第２生体情報を算出する演算部と、前記被測定者の第３生体情報を入力する入力部と、を有し、前記表示部は、第３生体情報が入力されていない場合には、前記第１生体情報をパラメータとして算出された第２生体情報を、仮定された第３生体情報と対応させて表示する第１測定結果表示を行い、第３生体情報が入力された場合には、前記第１生体情報と、入力された第３生体情報とをパラメータとして算出することによって、前記第１測定結果表示で表示された前記第２生体情報よりも特定された第２生体情報を表示する第２測定結果表示を行うことを特徴とする。
【００１０】
また、本発明の生体測定装置において、前記第２測定結果表示は、複数の前記第３生体情報が順次入力されるに従って、入力された前記第３生体情報に応じて特定された前記第２生体情報が表示されるものであることを特徴とする。
【００１１】
また、本発明の生体測定装置において、前記第１測定結果表示は、前記第１生体情報をパラメータとして算出された前記第２生体情報を第１軸とし、第３生体情報を第２軸としたグラフ表示であることを特徴とする。
【００１２】
また、本発明の生体測定装置において、前記第１測定結果表示は、前記第２生体情報が前記第３生体情報と関連付けられた表であることを特徴とする。
【００１３】
また、本発明の生体測定装置において、前記第１生体情報は、少なくとも体重及び生体インピーダンスを含むことを特徴とする。
【００１４】
また、本発明の生体測定装置において、前記第２生体情報は、脂肪率、内臓脂肪レベル、体水分量、筋肉量、基礎代謝量、骨量、除脂肪量、体細胞量、血圧、内蔵脂肪面積、ＢＭＩ、肥満度、細胞内液量、及び／又は細胞外液量を含むことを特徴とする。
【００１５】
また、本発明の生体測定装置において、前記第３生体情報は、身長、性別、又は年齢を含むことを特徴とする。
【発明の効果】
【００１６】
本発明の生体測定装置によれば、まずは被測定者の第２生体情報（例えば脂肪率）の測定結果が第１生体情報（例えば体重及び生体インピーダンス）によって算出されて所定の範囲をもって表示され、被測定者の任意の操作（例えば身長、性別、年齢といった第３生体情報の入力）に応じて更に特定された第２生体情報を表示させることができるので、おおよその生体情報（例えば脂肪率）を知ることができればよいと考えている者にあっては、正確な生体情報の算出のための前記操作が強いられることなくその生体情報を知ることができ、一方、種々の生体情報を正確に知りたいと考えている者にあっては、引き続き前記操作を行うことによってその生体情報を知ることができ、被測定者の個々の利用目的に沿った使い勝手の良い生体測定装置を提供することができる。
【発明を実施するための最良の形態】
【００１７】
以下、図面を参照して本発明の実施形態について説明する。なお、以下の本発明の実施形態では、被測定者の体重及び生体インピーダンスを測定するとともに、被測定者の脂肪率・筋肉量・骨量を算出することが可能な体重計付き体組成計（以下、単に体組成計という。）に、本発明を適用した場合について説明する。
【００１８】
ここで、本発明において、「第１生体情報」とは、生体測定装置による測定によって実測される被測定者の生体情報であり、被測定者に関する追加の情報の取得を必要とすることなく得られる生体情報である。第１生体情報としては、本発明を身長測定機能のない体組成計に適用する場合には、体重や生体インピーダンス、身長測定機能付き体組成計を用いる場合は、体重、生体インピーダンス、及び身長を挙げることができる。
【００１９】
また、「第２生体情報」とは、第１生体情報及び／又は第３生体情報をパラメータとして算出される被測定者の生体情報である。より具体的には、第２生体情報は、前記パラメータを、予め所望の生体情報ごとに定めた回帰式に適用することにより、推定値として算出する。第２生体情報を正確に一定の数値として算出するためには、第１生体情報の外、被測定者に関する追加の情報（第３生体情報）をさらにパラメータとして適用する必要があるものである。したがって、第１生体情報のみをパラメータとして第２生体情報を算出した場合には、第３生体情報の変動によって第２生体情報も変動する関係となるため、特定の数値で表すことはできず、第３生体情報と関連付けられた状態で表されるものとなる。第２生体情報としては、例えば、脂肪率、内臓脂肪レベル、体水分量、筋肉量、基礎代謝量、骨量、除脂肪量、体細胞量、血圧、内蔵脂肪面積、ＢＭＩ（Ｂｏｄｙ  Ｍａｔｈ  Ｉｎｄｅｘ）、肥満度、細胞内液量、細胞外液量を挙げることができる。
【００２０】
また、「第３生体情報」とは、第１生体情報とともに第２生体情報を算出する場合のパラメータとして用いられる被測定者の生体情報であり、例えば被測定者の年齢、性別、身長を挙げることができる。なお、身長は、本発明を身長測定機能のない体組成計に適用する場合には第３生体情報として扱い、身長測定機能付き体組成計に適用する場合には第１生体情報として扱う。
【００２１】
図１は、本実施形態に係る体組成計（生体測定装置）５０の外観構成を示す斜視図であり、図２は、体組成計５０の主たる機能構成を示すブロック図である。
【００２２】
図１に示すように、本実施形態の体組成計５０は、略箱形に形成された載せ台４０と、載せ台４０の裏面側に設けられて載せ台４０を支持する脚部（図に示さず）とを備える。載せ台４０の上面には、電極部材２１、２２、２３、２４と、キー入力部６（入力部）と、主として被測定者の生体情報の測定結果の表示（第１測定結果表示、第２測定結果表示）を行う表示部７と、が設けられている。図２に示すように、キー入力部６及び表示部７は、マイクロプロセッサ（制御部）１０に接続され、電極部材２１、２２、２３、２４は、インピーダンス測定部２０を介してマイクロプロセッサ１０に接続されている。
【００２３】
図１に示すように、体組成計５０における電極部材は、４つの薄板状の電極部材２１、２２、２３、２４で構成され、これらは載せ台４０の上面で互いに離間して配置されている。なお、これらの電極部材に加えて、被測定者の両手でそれぞれ把持することのできるグリップ型の電極部材（手電極）を設けるようにしてもよい。
【００２４】
体組成計５０では、被測定者のつま先が接触する電極部材２１、２２を通電電極、かかとが接触する電極部材２３、２４を測定電極としている。インピーダンス測定部２０（第１生体情報測定部）は、マイクロプロセッサ４０からの指示信号に従って電極部材（通電電極）２１、２２に所定の微弱な定電流を供給するようになっており、電極部材（測定電極）２３、２４における電位差（電圧）を測定することができるようになっている。これにより、被測定者が体組成計５０に載った場合に、両足のつま先間に、両脚部（下半身）を介して電流を流し、この電流経路に発生する電位差（電圧）をかかと間で測定することにより、測定された電圧値及び印加した電流値から被測定者の生体インピーダンスを求めることができる。このようにして実測により求められた被測定者の生体インピーダンスは、インピーダンス測定部２０からマイクロプロセッサ１０に出力される。
【００２５】
載せ台４０の内部には、載せ台４０に載った被測定者による荷重を検知するロードセル３１が設けられており、ロードセル３１は、体重測定部３０（第１生体情報測定部）を介してマイクロプロセッサ１０に接続されている。より具体的には、ロードセル３１は、荷重を掛けると荷重に応じて変形する金属部材からなる起歪体と、起歪体に貼られる歪みゲージと、によって構成し、載せ台４０は起歪体の一端に支持され、起歪体の他端が脚部（図に示さず）に支持されるように構成する。これにより、被測定者が載せ台４０に載ったときの荷重により起歪体が撓むと歪みゲージが伸縮して、歪みゲージの伸縮に応じた抵抗値（出力値）が変化し、その抵抗変化を荷重信号出力の変化として体重を測定する。すなわち、体重測定部３０は、載せ台４０に負荷が掛かっていないときのロードセル３１からの抵抗値（出力値）（いわゆるゼロ点）と、荷重が掛かったときの抵抗値（出力値）と、の差から体重を演算により求め、被測定者の体重が測定されるようになっている。このようにして実測により求められた被測定者の体重は、体重測定部３１からマイクロプロセッサ１０に出力される。
【００２６】
入力部としてのキー入力部６は、被測定者の第３生体情報の入力や、体組成計５０の各種設定を行うための操作部分である。本実施計体においては、一例として、第１キー操作部３５、第２キー操作部３６、第３キー操作部３７および第４キー操作部３８を有する構成としたが、個数・形状・操作方法は特にこれに限られず、ボタン式の外、タッチセンサ式、ダイヤル式など適宜採択可能である。本実施形態のキー入力部６は、被測定者の身長、性別、年齢等の第３生体情報の入力操作に用いられる情報入力手段として機能するだけではなく、表示部７に表示されるデータの選択決定操作に用いられる情報選択決定手段や、表示部７に表示されるデータの修正操作に用いられる修正指示手段としても機能する。
【００２７】
表示部７は、マイクロプロセッサ１０から送られてくるデータを表示するためのデータ表示手段であり、被測定者の各種生体情報の表示（第１測定結果表示、第２測定結果表示）や操作の案内表示などを行う。表示部７としては、一例として、フルドットＬＣＤ（Ｌｉｑｕｉｄ  Ｃｒｙｓｔａｌ  Ｄｉｓｐｌａｙ）などの液晶を用いたものを採用すればよい。表示部７における、被測定者の各種生体情報の表示例の詳細については、図５〜図１３を参照して後述するが、電極部材２１、２２、２３、２４に載った被測定者から直接的に測定（実測）される体重や生体インピーダンスなどの第１生体情報、キー入力部６を介して入力される被測定者の身長や性別などの第３生体情報、このような第１生体情報及び／又は第３生体情報をパラメータとして算出によって間接的に得られる脂肪率などの第２生体情報、が表示部７に適宜表示されるようになっている。
【００２８】
マイクロプロセッサ１０には、更に、体組成計５０で用いられる各種データを記憶可能な補助メモリ５と、体組成計５０を構成する各種機器類の電力源となる電源部８とが接続されている。
【００２９】
補助メモリ５（記憶部）は、マイクロプロセッサ１０の演算処理時に使用される被測定者の身長や年齢その他のデータ類を記憶しておく不揮発性の記憶手段である。補助メモリ５に記憶されているデータ類は、マイクロプロセッサ１０によって適宜読み出され、被測定者の生体情報の測定・算出に用いられる。
【００３０】
電源部８は、コンセント等の外部の電力供給源に接続されるプラグ、又はバッテリーなどの内部電力供給源によって構成される電力供給手段であり、マイクロプロセッサ１０を介して、体組成計５０を構成する各種機器類に電力を供給する。
【００３１】
マイクロプロセッサ１０は、体組成計５０を構成する各種機器類の制御部として機能し、例えば、インピーダンス測定部２０及び体重測定部３０における測定データの処理制御、被測定者の生体情報に関する各種演算の実行処理、キー入力部６に入力される各種データの処理、表示部７の表示の制御、補助メモリ５等の記憶手段に対するデータの読み出しや書き込みの処理等、各種の処理および制御を行う。
【００３２】
図３は、マイクロプロセッサ１０の主たる構成を示すブロック図である。マイクロプロセッサ１０は、演算処理などを行うＣＰＵ（中央演算処理装置）１（演算部）と、ＣＰＵ１に接続されるＲＯＭ（不揮発性メモリ）２およびＲＡＭ（揮発性メモリ）３と、ＣＰＵ１、ＲＯＭ２およびＲＡＭ３に接続される外部入出力インターフェイス４と、を有する。
【００３３】
ＲＯＭ２は、ＣＰＵ１によって実行される各種の制御プログラム等を記憶し、ＲＡＭ３は、測定データやＣＰＵ１による演算データの一時的な退避箇所として用いられる。外部入出力インターフェイス４は、マイクロプロセッサ１０に接続される外部機器類との間におけるデータ入出力に関するインターフェイスとして機能する。
【００３４】
ＣＰＵ１は、ＲＯＭ２やＲＡＭ３に記憶されるプログラムやデータ（第１生体情報を含む）と、外部入出力インターフェイス４を介して外部機器（例えばキー入力部６）から入力される第３生体情報とを用いて、所定の回帰式に基づき、被測定者の第２生体情報を算出する。例えば、本実施形態のＣＰＵ１は、被測定者の体重、身長、生体インピーダンス、性別、年齢その他の生体情報（第１生体情報、第３生体情報）を用いて、例えば脂肪率、筋肉量、骨量（第２生体情報）を推定値として算出する。このようにしてＣＰＵ１で算出される被測定者の第２生体情報は、マイクロプロセッサ１０から表示部７に表示データとして適宜送られる。
【００３５】
次に、本実施形態の体組成計５０を用いた測定例について、図４〜図１３を参照して説明する。図４は、体組成計５０を用いた測定例の流れを示すフローチャート、図５〜図１３は、表示部７の表示例を示す図である。
【００３６】
なお、図５〜図１３に示す表示部７内において表示されている、「脂肪率％」「安定」「ゼロ」「測定中」「体重  ｋｇ」「身長  ｃｍ」という項目をそれぞれ指す三角形の指示表示４１ａ〜４１ｆは、それぞれが指す項目に関する処理（測定処理、又は表示処理）が体組成計５０で行われている場合に表示されるようになっている。例えば「ゼロ」の項目が指示表示４１ａによって示されている場合（図５参照）には、被測定者が体組成計５０に載る前の無負荷時におけるロードセル３１の出力値をゼロ点とする、いわゆるゼロ点の調整処理を行っている状態であることを示す。同様に、「安定」の項目が指示表示４１ｂによって示されている場合（図７参照）には、ロードセル３１の出力が安定している状態であることを示し、「脂肪率％」の項目が指示表示４１ｃによって示されている場合（図８〜図１０参照）には、被測定者の脂肪率が表示されていることを示す。また、「測定中」の項目が指示表示４１ｄによって示されている場合（図６参照）には、被測定者の体重及び生体インピーダンス（第１生体情報）の測定処理中であることを示し、「体重  ｋｇ」の項目が指示表示４１ｅによって示されている場合（図５〜図７参照）には、被測定者の体重が表示されている状態であることを示し、「身長  ｃｍ」の項目が指示表示４１ｆによって示されている場合（図８〜図１０参照）には、身長が表示されている状態、身長の入力をすることができる状態であることを示すものである。
【００３７】
まず、測定を開始するために、測定開始スイッチ（図に示さず）が被測定者によってタッチされ、測定開始の指示がマイクロプロセッサ１０に送られて、体組成計５０が起動する（図４のステップＳ１０）。なお、測定開始スイッチは、載せ台４０の任意の箇所に配設可能であり、例えばキー入力部６等に測定開始スイッチを設けることができる。
【００３８】
測定開始の指示を受信したマイクロプロセッサ１０は、被測定者の体重測定のためのロードセル３１の出力値のゼロ点調整を含む、各種機器類の初期設定を行うとともに（ステップＳ１１）、表示部７には図５に示す表示を行うように指示する。各種機器類の初期設定（ゼロ点調整）が終了すると、図５の表示状態から指示表示４１ａを消灯して指示表示４１ｂを点灯させ、被測定者に対して、測定準備が完了したことを示す表示状態とする。
【００３９】
被測定者が、載せ台４０の電極部材２１、２２、２３、２４上に載ると、被測定者の体重及び生体インピーダンス（第１生体情報）が自動的に測定される（ステップＳ１２）。測定中においては、図６に示すように、表示部７では、指示表示４１ａ、４１ｂを消灯し、指示表示４１ｄ、４１ｅを点灯させ、測定中の体重を中央部に大きく表示させる。ロードセル３１の出力値が安定したところで、その時点でのロードセル３１の出力値に対応して求めた荷重を被測定者の体重とする。このとき、図７に示すように、表示部７では、指示表示４１ｄを消灯し、指示表示４１ｂを点灯させ、実測された体重を中央部に大きく表示させる。
【００４０】
そして、被測定者の体重及び生体インピーダンスの測定が終了すると、マイクロプロセッサ１０において、被測定者の体重及び生体インピーダンス（第１生体情報）に基づき脂肪率（第２生体情報）の算出が行われる（ステップＳ１３）。脂肪率の算出に際しては、予め定めておいた回帰式に、前記のように実測された体重及び生体インピーダンス（第１生体情報）をパラメータとして適用して求める。この時点においては、被測定者の身長や性別（第３生体情報）は取得されていないので、脂肪率を正確に特定の数値として算出することはできないが、例えば身長１５０ｃｍの場合の脂肪率、１６０ｃｍの場合の脂肪率、１７０ｃｍの場合の脂肪率、１８０ｃｍの場合の脂肪率、といったように代表的に複数の身長数値を仮定したときの各脂肪率を性別毎に算出しておく。
【００４１】
このように脂肪率の算出が終了すると、表示部７の中央部にて大きく表示していた体重にかえて、脂肪率を、身長・性別と関連付けた状態の測定結果表示（第１測定結果表示）を行う（ステップＳ１４）。第１測定結果表示としては、第２生体情報が第３生体情報と関連付けられて表示されるものであればよく、本実施形態では、図８に示すように、脂肪率（％）を縦軸に、身長（ｃｍ）を横軸にそれぞれ設定して、前記のように代表的に複数の身長数値を仮定して性別毎に求めた脂肪率をプロットして求めた、男性用のグラフ（細線）と女性用のグラフ（太線）の両者を表示するようになっている。このとき、縦軸が脂肪率（％）であることを示すために指示表示４１ｃを、横軸が身長（ｃｍ）であることを示すために指示表示４１ｆを、それぞれ点灯させるようにする。なお、指示表示４１ｅを消灯させるとともに、被測定者の体重の数値を表示部７のいずれかの部位に（図８においては、右上に小さく）表示する。なお、男性用のグラフは青色、女性用のグラフは赤色で表示すると、より直感的にいずれの性別に対応したグラフであるかが把握しやすくなる点で好適である。
【００４２】
ここまでの測定に際して被測定者は、最初の測定開始スイッチをタッチし、体組成計５０に載る、という極めて簡単な作業のみをしているだけであるが、前記のような身長−脂肪率のグラフ（第１測定結果表示）が表示されることによって、被測定者は視覚により直感的に被測定者の身長−脂肪率の関係を性別ごとに把握することができる。すなわち、被測定者は自己の身長を把握していることが多いため、図８に示すような測定結果表示において、まずは自己の性別に対応するグラフを判別し、次にそのグラフにおいて自己の身長（横軸）における脂肪率（縦軸）を目視により追っていくだけで、自己のおおよその脂肪率を簡単に知ることが可能となる。したがって、おおよその脂肪率を知ることができればよいと考えている被測定者にあっては、正確な脂肪率の算出のための所定の操作（例えば身長・年齢等の入力）を行うことなく、身長−脂肪率のグラフ（第１測定結果表示）が表示された時点で測定作業を終了すればよい（ステップ１５でＮＯ）。
【００４３】
なお、図８に示すグラフでは、概ね１５０ｃｍから１８０ｃｍまでの身長に対応する脂肪率を見ることができるように設定されているが、１５０ｃｍ以下、又は１８０ｃｍ以上の身長の被測定者が見やすいように調整することが可能である。図８に示すように、第１キー操作部３５及び第２キー操作部３６が、それぞれ表示部７の左下の「−１０ｃｍ」及び右下の「＋１０ｃｍ」の表示に対応して、グラフの身長範囲（横軸）の調整に関連づけられている。具体的には、被測定者が第１キー操作部３５を１回押すと、概ね１４０ｃｍから１７０ｃｍまでの身長に対応する脂肪率を見ることができるように表示設定され、第２キー操作部３６を１回押すと、概ね１６０ｃｍから１９０ｃｍまでの身長に対応する脂肪率を見ることができるように表示設定されるようになっている。
【００４４】
一方、種々の生体情報を正確な数値として知りたいと考えている被測定者の利用目的にも沿うように、本実施形態では、被測定者が性別、身長、年齢（第３生体情報）を任意で手動入力することによって、身長−脂肪率のグラフをさらに絞り込んだ表示としたり、または種々の第２生体情報を正確な数値として表示させること（第２測定結果表示）ができるようになっている。ここで、第２測定結果表示は、複数の第３生体情報が順次入力されるに従って、入力された第３生体情報に応じて特定された第２生体情報が表示されるものである。
【００４５】
図８に示す身長−脂肪率のグラフが表示部７に表示された後、被測定者は更に詳細な測定、すなわち、表示部７に表示された情報から、自身の性別、身長、年齢その他の生体情報（第３生体情報）を用いてより具体的な第２生体情報を測定していく作業、を行うか否かを選択することができる（ステップＳ１５）。前述のように、被測定者がこの時点で十分な測定結果を確認することができたと満足して測定を終了する場合（ステップＳ１５でＮＯ）、体組成計５０による測定は終了する。
【００４６】
一方、更に詳細な測定を続行する場合（ステップＳ１５でＹＥＳ）、被測定者は自己の性別を選択して入力する（ステップＳ１６）。本実施形態では、図８に示すような身長−脂肪率のグラフを表示する際に、表示部７の下中央に「男性」及び「女性」を表示するとともに、第３キー操作部３７及び第４キー操作部３８をそれぞれに対応させて、男性用のグラフと女性用のグラフの選択に関連づけられている。したがって、被測定者は、自己の性別に応じて第３キー操作部３７又は第４キー操作部３８を押し、性別を選択入力すると、自己の性別ではないグラフは表示部７から削除され、選択された性別に係る身長−脂肪率のグラフ（第２測定結果表示）が表示部７に表示される（ステップＳ１７）。図９は、一例として、被測定者の性別として男性が選択された場合を示しており、表示部７には、男性用の身長−脂肪率のグラフ（第２測定結果表示）が表示されるとともに、「男性」という文字表示がなされる。
【００４７】
そして、図９に示すように、補助メモリ５に記憶されている身長の初期設定値（図９では１６５ｃｍ）が数値表示されるとともに、身長の初期設定値に対応した身長−脂肪率のグラフ上の位置にポインタ４２が表示される。なお、身長の初期設定値の表示方法は、身長の入力操作（再設定）が可能であることを表すために、例えば反転表示とするのが好適である。そして、表示部７には、第１キー操作部３５及び第２キー操作部３６が身長の増減調整に関連づけられていることを示す表示（図９では、表示部７の左下の「−１ｃｍ」及び右下の「＋１ｃｍ」）がなされるとともに、身長入力の完了指示が第３キー操作部３７と関連づけられていることを示す表示（図９では、表示部７の中央下の「次へ」）がなされる。図９に示す例において、被測定者は、反転表示されている初期設定値の身長（図９では１６５ｃｍ）を、第１キー操作部３５を介して−１ｃｍずつ減じることができ、又は第２キー操作部３６を介して＋１ｃｍずつ増やすことができる。このような身長の増減調整に伴って、表示部７では、図１０に示すように、反転表示されている身長の数値表示が変更されるとともに、変更された身長に対応してポインタ４２が身長−脂肪率のグラフ上を推移する。以上の操作を行うことによって、被測定者の身長を入力する（ステップＳ１８）。図１０に示す表示部７では、身長が１７０ｃｍである被測定者が、自己の身長（第２生体情報）として１７０ｃｍを入力した場合の測定結果表示（第２測定結果表示）がなされているものであって、身長−脂肪率のグラフ上の、身長１７０ｃｍに対応した位置にポインタ４２が表示されている。
【００４８】
被測定者の身長の入力を終了して、「次へ」表示に対応する第３キー操作部３７を押すと、マイクロプロセッサ１０において、実測された体重及び生体インピーダンス（第１生体情報）、並びに、被測定者によって入力された性別及び身長（第３生体情報）をパラメータとして、予め定めておいた回帰式に適用し、脂肪率の算出を行う（ステップＳ１９）。この時点に至っては、前述のステップＳ１３における脂肪率の算出とは異なって、被測定者の身長や性別（第３生体情報）が取得されているので、脂肪率を正確に特定の数値として算出することができる。
【００４９】
脂肪率の算出が終了すると、表示部７の中央部にて大きく表示していた身長−脂肪率のグラフにかえて、被測定者の体重・生体インピーダンス（第１生体情報）、及び性別・身長（第３生体情報）に基づいて求めた脂肪率（第２生体情報）を数値表示させる測定結果表示（第２測定結果表示）を行う（ステップＳ２０）。本実施計体においては、図１１に示すように、第２生体情報としての脂肪率（「２３％」）の外、第１生体情報としての体重（「６３．５ｋｇ」）及び第３生体情報としての性別・身長（「男性」「１７０ｃｍ」）が、列挙形式で数値表示されるようになっている。
【００５０】
図１１に示す第２生体情報としての脂肪率が表示部７に数値表示された後、被測定者は更に詳細な測定、すなわち、自身の年齢（第３生体情報）を用いて更に別の第２生体情報（例えば推定筋肉量、推定骨量）を測定していく作業を行うか否かを選択することができる。被測定者がこの時点で十分な測定結果を確認することができたと満足して測定を終了する場合（ステップＳ２１でＮＯ）、表示部７の中央下の「終了」の表示に対応して測定終了処理に関連付けられている第４キー操作部３８を押すと、体組成計５０による測定が終了する。
【００５１】
一方、更に詳細な測定を続行する場合（ステップＳ２１でＹＥＳ）、表示部７の中央下の「次へ」の表示に対応して測定終了処理に関連付けられている第３キー操作部３７を押す。これにより、表示部７は、図１２に示すような被測定者の年齢の入力を促す画面に切り替わる。具体的には、図１１に示す表示部７の状態においてブランクのままとされていた年齢の項目には、図１２に示すように、補助メモリ５に記憶されている年齢の初期設定値（図１２では３０才）が数値表示される。なお、年齢の初期設定値の表示方法は、年齢の入力操作（再設定）が可能であることを表すために、例えば反転表示とするのが好適である。そして、表示部７には、第１キー操作部３５及び第２キー操作部３６が年齢の増減調整に関連づけられていることを示す表示（図１２では、表示部７の左下の「−１才」及び右下の「＋１才」）がなされるとともに、年齢入力の完了指示が第３キー操作部３７と関連づけられていることを示す表示（図１２では、表示部７の中央下の「次へ」）がなされる。図１２に示す例において、被測定者は、反転表示されている初期設定値の年齢（図１２では３０才）を、第１キー操作部３５を介して−１才ずつ減じることができ、又は第２キー操作部３６を介して＋１才ずつ増やすことができる。このような年齢の増減調整に伴って、表示部７では、反転表示されている年齢の数値表示が変更される。以上の操作を行うことによって、被測定者の年齢を入力する（ステップＳ２２）。
【００５２】
被測定者の年齢の入力を終了して、「次へ」表示に対応する第３キー操作部３７を押すと、マイクロプロセッサ１０において、実測された体重及び生体インピーダンス（第１生体情報）、並びに、被測定者によって入力された性別・身長・年齢（第３生体情報）をパラメータとして、予め定めておいた回帰式に適用し、推定筋肉量及び推定骨量の算出を行う（ステップＳ２３）。
【００５３】
被測定者の推定筋肉量および推定骨量の算出が終了すると、被測定者の体重・生体インピーダンス（第１生体情報）、及び性別・身長・年齢（第３生体情報）に基づいて求めた脂肪率・推定筋肉量・推定骨量（第２生体情報）を数値表示させる測定結果表示（第２測定結果表示）を行う（ステップＳ２４）。本実施計体においては、図１３に示すように、第２生体情報としての脂肪率・推定筋肉量・推定骨量（「２３％」「３５．４ｋｇ」「４．６ｋｇ」）の外、第１生体情報としての体重（「６３．５ｋｇ」）及び第３生体情報としての性別・年齢・身長（「男性」「３５才」「１７０ｃｍ」）が、列挙形式で数値表示されるようになっている。これにより、被測定者は、被測定者の体重および脂肪率だけではなく、推定筋肉量及び推定骨量についても数値データとして正確に確認することができる。
【００５４】
なお、図１３に示すように、表示部７には、続けて同一の又は異なる被測定者の生体測定を行うため、測定開始の指示と第３キー操作部３７とが関連づけられていることを示す表示（図１３では、表示部７の中央下の「再測定」）、及び体組成計５０による測定終了の指示と第４キー操作部３８とが関連づけられていることを示す表示（図１３では、表示部７の中央下の「終了」）がなされており、被測定者は体組成計５０による再測定を行うか終了するかを選択することができる（ステップＳ２５）。被測定者が第３キー操作部３７を介して再測定を選択した場合（ステップＳ２５でＮＯ）、上記のステップＳ１１〜ステップＳ２５が再び繰り返され、新たな測定が開始される。一方、被測定者が第４キー操作部３８を介して測定の終了を選択した場合（ステップＳ２５でＹＥＳ）、体組成計５０による体重等の測定が終了する。
【００５５】
以上説明したように、本実施形態の体組成計５０によれば、載せ台４０上に被測定者が単に載るだけで、その他の特別な難しい操作を必要とすることなく、表示部７に被測定者の体重、並びに、性別及び身長に関連付けられた脂肪率を表示することができる（ステップＳ１２〜ステップＳ１４）。これにより被測定者は、表示部７に表示される脂肪率の情報と、自己の性別及び身長を照らし合わせるだけで、自己のおおよその脂肪率を視覚的に読み取ることができる。その一方で、より詳細な種々の生体情報を得たい場合には、表示部７に表示される指示に従って必要な情報を順次入力することにより（ステップＳ１６〜ステップＳ２２）、被測定者の生体情報が徐々に集約化され、ステップ毎に得られる被測定者の生体情報が見易い形式で正確に表示部７に表示されていき、最終的には被測定者の詳細な生体情報を数値データとして表示部７に表示することが可能である（図１３参照）。
【００５６】
このように、まずは被測定者の脂肪率の測定結果が、体重及び生体インピーダンスによって算出されて所定の範囲をもって表示され、被測定者の任意の操作（身長、性別、年齢の入力）に応じて更に特定された脂肪率その他の生体情報を段階的に特定して表示させることができるので、おおよその脂肪率を知ることができればよいと考えている者にあっては、正確な脂肪率算出のための所定の操作（身長・年齢等の入力）が強いられることなく脂肪率を知ることができ、一方、種々の生体情報を正確に知りたいと考えている者にあっては、引き続き所定の操作（身長、性別、年齢の入力）を行うことによってその生体情報を知ることができるので、特に不特定多数の被測定者の利用に供される場合であっても、上記のようないずれの利用目的にも沿うことが可能で使い勝手の向上が図られる。また、極めて簡単な操作だけでおおよその脂肪率まで把握できることから、特に公共の施設に設置されて、被測定者にとって使い慣れていない体組成計であっても、使い勝手のよいものとなる。
【００５７】
以上、本発明の実施形態について説明したが、本発明は、上述の実施形態に限定されるものではなく、各種の変形を加えることも可能である。
【００５８】
例えば、上述の実施形態では、被測定者が測定部に載るだけで自動的に得られる第１生体情報として体重および生体インピーダンスを用いるとともに、この第１生体情報から算出される第２生体情報として脂肪率を用いる例について説明したが、第１生体情報および第２生体情報として他の生体情報を用いることも可能である。例えば、本発明を、身長計付き体組成計に適用することによって、第１生体情報に身長を含めることとしたり、また第２生体情報として脂肪率、筋肉量、骨量の外、内臓脂肪レベル、体水分量、基礎代謝量、除脂肪量、体細胞量、血圧、内蔵脂肪面積、ＢＭＩ、肥満度、細胞内液量、細胞外液量等を含めることも可能である。
【００５９】
また、上述の実施形態では、キー入力部６と表示部７とを別個に設ける例について説明したが、表示部７にタッチパネルを組み合わせて、キー入力部６と表示部７とを一体的に設けることも可能である。この場合、より直感的な操作が可能になり、ユーザにとって更に簡単で分かりやすい操作を実現することができる。
【００６０】
また、表示部７における第１測定結果表示は、図８に示すようなグラフによる表示に限定されるものではなく、第２生体情報と第３生体情報とが関連付けられて表示されるものであれば何でも良く、例えば表のような表示手法を採択することも可能である。
【００６１】
なお、特定の使用環境下において、被測定者が一定の生体情報を有する場合には、そのような生体情報を予め補助メモリ５等に記憶しておき、マイクロプロセッサ１０によって適宜読み出して測定を進めてもよい。例えば、男性のみが使用する環境下では性別として男性をプリセットしておくことも可能であり、また特定の個人が使用する場合にはその個人の身長、年齢、性別をプリセットしておくことも可能である。このような場合には、操作が更に簡略され、被測定者の詳細な生体情報の測定を迅速に行うことができる。
【図面の簡単な説明】
【００６２】
【図１】本発明の実施形態に係る体脂肪計（生体測定装置）の外観構成を示す斜視図である。
【図２】本発明の実施形態に係る体脂肪計の主たる機能構成を示すブロック図である。
【図３】本発明の実施形態に係るマイクロプロセッサの主たる構成を示すブロック図である。
【図４】本発明の実施形態に係る体脂肪計を用いた測定の流れを示すフローチャートである。
【図５】本発明の実施形態に係る表示部の表示例を示す図である。
【図６】本発明の実施形態に係る表示部の表示例を示す図である。
【図７】本発明の実施形態に係る表示部の表示例を示す図である。
【図８】本発明の実施形態に係る表示部の表示例を示す図である。
【図９】本発明の実施形態に係る表示部の表示例を示す図である。
【図１０】本発明の実施形態に係る表示部の表示例を示す図である。
【図１１】本発明の実施形態に係る表示部の表示例を示す図である。
【図１２】本発明の実施形態に係る表示部の表示例を示す図である。
【図１３】本発明の実施形態に係る表示部の表示例を示す図である。
【符号の説明】
【００６３】
１  ＣＰＵ（演算部）
２  ＲＯＭ
３  ＲＡＭ
４  外部入出力インターフェイス
５  補助メモリ（記憶部）
６  キー入力部（入力部）
７  表示部
８  電源部
１０  ワンチップマイクロプロセッサ（演算部）
２０  インピーダンス測定部（第１生体情報測定部）
２１  電極部材（通電電極）
２２  電極部材（通電電極）
２３  電極部材（測定電極）
２４  電極部材（測定電極）
３０  体重測定部（第１生体情報測定部）
３１  ロードセル
３５  第１キー操作部
３６  第２キー操作部
３７  第３キー操作部
３８  第４キー操作部
４０  載せ台
４１ａ〜４１ｆ  指示表示
４２  ポインタ
５０  体組成計（生体測定装置）
【図１】
0005202907.tif 000002
【図２】
0005202907.tif 000003
【図３】
0005202907.tif 000004
【図４】
0005202907.tif 000005
【図５】
0005202907.tif 000006
【図６】
0005202907.tif 000007
【図７】
0005202907.tif 000008
【図８】
0005202907.tif 000009
【図９】
0005202907.tif 000010
【図１０】
0005202907.tif 000011
【図１１】
0005202907.tif 000012
【図１２】
0005202907.tif 000013
【図１３】
0005202907.tif 000014